(57)【要約】【課題】装飾品と結合するフレグランス装置の構造を提供する。【解決手段】  主に底ケース、前蓋で構成する装飾品と結合するフレグランス装置の構造である。該底ケースに一つの開口を具有し、該開口内に一つの装飾品収納部及び一つのフレグランス部品収納部を設け、それぞれ一つのフレグランス部品及び一つの装飾品を入れる。該前蓋は分解できるように該底ケースの開口を覆って結合し、一つの装飾品覆蓋部及び一つのフレグランス部品覆蓋部を含み、それぞれ装飾品収納部及び該フレグランス部品収納部の上を覆蓋する。該フレグランス部品覆蓋部は少なくとも一つの穴を具有し、フレグランス部品の香りを放つために用いる。該装飾品覆蓋部に一つの展示開口を含み、装飾品を見せるために用いる。【選択図】図１
2018023705.tif 000002
【特許請求の範囲】
【請求項１】
底ケース、前蓋を含み、
該底ケースに一つの開口を具有し、該開口内に一つの装飾品収納部及び一つのフレグランス部品収納部を設け、それぞれ一つのフレグランス部品及び一つの装飾品を入れ、
該前蓋は分解できるように該底ケースの開口を覆って結合し、一つの装飾品覆蓋部及び一つのフレグランス部品覆蓋部を含み、それぞれ装飾品収納部及び該フレグランス部品収納部の上を覆蓋し、該フレグランス部品覆蓋部は少なくとも一つの穴を具有し、フレグランス部品の香りを放つために用い、該装飾品覆蓋部に一つの展示開口を含み、装飾品を見せるために用いることを特徴とするフレグランス装置の構造。
【請求項２】
更に一つの積載本体を含み、装飾品収納部の中に設置し、該装飾品を入れるために用いるものであることを特徴とする請求項１記載のフレグランス装置の構造。
【請求項３】
前記該積載本体は一つの定位部を具有し、該装飾品を定位するために用いることを特徴とする請求項２記載のフレグランス装置の構造。
【請求項４】
前記該装飾品は一枚の写真或いは絵とすることができることを特徴とする請求項２記載のフレグランス装置の構造。
【請求項５】
更に一つの透明部品を含み、該装飾品覆蓋部の該展示開口の上を覆蓋することを特徴とする請求項４記載のフレグランス装置の構造。
【請求項６】
前記該透明部品は一つのガラスプレート或いは一つのアクリルプレートとすることを特徴とする請求項５記載のフレグランス装置の構造。
【請求項７】
前記該底ケースに一つの掛穴を設けて吊るして使用する際に用いることを特徴とする請求項１記載のフレグランス装置の構造。
【請求項８】
更に一つのサポート部品を含み、該サポート部品の一端を底ケースと結合することで、該フレグランス装置を支えるために用いることを特徴とする請求項１記載のフレグランス装置の構造。
【請求項９】
前記該サポート部品は一端を底ケースと接続結合し、該サポート部品の別端を介して、底ケースに相対して移動することを特徴とする請求項８記載のフレグランス装置の構造。
【請求項１０】
前記該フレグランス部品は常温の下では発揮性を具有し、該フレグランス部品の香りを放つことを特徴とする請求項１記載のフレグランス装置の構造。
【発明の詳細な説明】
【技術分野】
【０００１】
本発明は一種のフレグランス装置に関し、特に装飾品と結合するフレグランス装置の構造に関する。
【背景技術】
【０００２】
香りは人の気持ちを楽しくさせる。現代の人々は様々なフレグランス装置で室内の空気を改善し、毎日の生活の情緒を高める。よく見られるフレグランス装置にはアロマランプ、香りつき蝋燭及び各種の発揮性のあるフレグランスジェル或いはフレグランスシートがあり、アロマランプ或いは香りつき蝋燭などのフレグランス装置は点火或いは電気で加熱することで、香り成分を空気の中に拡散することができる。
使用時は電気エネルギーを使用することになり、或いは常に環境及び燃焼状況に気を配り、アクシデントの発生を避ける。それに比べると、発揮性のあるフレグランスジェル或いはフレグランスシートは電気エネルギーの必要がなく、安全を心配する必要がない。
【０００３】
フレグランスジェル或いはシートは、通常一つのフレグランス装置に置いて使用する。市販のフレグランスジェル或いはシートの外包装はシンプルなデザインを具有し、直接開けて使用することができる。
しかし一般的にフレグランスジェル或いはシートを設置するフレグランス装置或いは市販製品の外包装の外観は装飾性がなく、或いはそのデザインでは室内のインテリアに合わせることができないため、室内に置くと唐突な感じはするが、インテリアに合わせてその外観を任意に変えることができない。
【先行技術文献】
【特許文献】
【０００４】
【特許文献１】特開２０１３−１７６２０公報
【発明の概要】
【発明が解決しようとする課題】
【０００５】
本発明の目的は、フレグランス部品及び装飾品を任意に交換することができ、香りを拡散すると同時に、一つの装飾品とすることもでき、美観、実用性とエコを兼ね備えつつ、便利に使用して設置することができる装飾品と結合するフレグランス装置の構造を提供することにある。
【課題を解決するための手段】
【０００６】
上述の目的を解決するために、本発明は装飾品と結合するフレグランス装置を提供するものである。該底ケースに一つの開口を具有し、該開口内に一つの装飾品収納部及び一つのフレグランス部品収納部を設け、それぞれ一つのフレグランス部品及び一つの装飾品を入れる。
該前蓋は分解できるように該底ケースの開口を覆って結合し、一つの装飾品覆蓋部及び一つのフレグランス部品覆蓋部を含み、それぞれ装飾品収納部及び該フレグランス部品収納部の上を覆蓋する。
該フレグランス部品覆蓋部は少なくとも一つの穴を具有し、フレグランス部品の香りを放つために用いる。該装飾品覆蓋部に一つの展示開口を含み、装飾品を見せるために用いる。
【０００７】
実施する際、前記フレグランス装置は更に一つの積載本体を含み、装飾品収納部の中に設置し、該装飾品を入れるために用いるものである。
【０００８】
実施する際、前記該積載本体は一つの定位部を具有し、前記装飾品を定位するために用いる。
【０００９】
実施する際、前記該装飾品は一枚の写真或いは絵とすることができる。
【００１０】
実施する際、前記フレグランス装置は更に一つの透明部品を含み、前記装飾品覆蓋部の展示開口の上を覆蓋する。
【００１１】
実施する際、前記透明部品は一つのガラスプレート或いは一つのアクリルプレートとする。
【００１２】
実施する際、前記底ケースに一つの掛穴を設けて吊るして使用する際に用いる。
【００１３】
実施する際、前記フレグランス装置は更に一つのサポート部品を含み、該サポート部品の一端を底ケースと結合することで、該フレグランス装置を支えるために用いる。
【００１４】
実施する際、前記サポート部品は一端を底ケースと接続結合し、該サポート部品の別端を介して、底ケースに相対して移動する。
【００１５】
実施する際、前記フレグランス部品は常温の下では発揮性を具有し、該フレグランス部品の香りを放つ。
【発明の効果】
【００１６】
本発明の構造によりフレグランス部品及び装飾品を任意に交換することができ、香りを拡散すると同時に、一つの装飾品とすることもでき、美観、実用性とエコを兼ね備えつつ、便利に使用して設置することができる。
【図面の簡単な説明】
【００１７】
【図１】本発明のフレグランス装置の一つの実施例の分解図である。
【図２Ａ】本発明のフレグランス装置の一つの実施例の正面図である。
【図２Ｂ】本発明のフレグランス装置の一つの実施例の背面図である。
【図３】本発明のフレグランス装置の別の実施例の分解図である。
【図４Ａ】本発明のフレグランス装置の別の実施例の正面図である。
【図４Ｂ】本発明のフレグランス装置の別の実施例の側面図である。
【図５Ａ】本発明のフレグランス装置の一つの実施例の外観略図である。
【図５Ｂ】本発明のフレグランス装置の別の実施例の外観略図である。
【発明を実施するための形態】
【実施例】
【００１８】
本発明の特徴及び効果を更に理解していただくために、実施例を図に沿って詳細な説明をする。
【００１９】
本発明のフレグランス装置に含まれるのは一つの底ケース及び一つの前蓋である。該底ケースに一つの開口を具有し、該開口内に一つの装飾品収納部及び一つのフレグランス部品収納部を設け、それぞれ一つのフレグランス部品及び一つの装飾品を入れる。前記前蓋は分解できるように該底ケースの開口を覆って結合している。
一つの装飾品覆蓋部及び一つのフレグランス部品覆蓋部を含み、それぞれ装飾品収納部及び該フレグランス部品収納部の上を覆蓋する。前記フレグランス部品覆蓋部は少なくとも一つの穴を具有し、フレグランス部品の香りを放つために用いる。前記装飾品覆蓋部に一つの展示開口を含み、装飾品を見せるために用いる。
【００２０】
図１及び図２Ａ、図２Ｂに示すのは、本発明の一つのフレグランス装置の一つの実施例である。前記フレグランス装置に含まれるのは一つの底ケース１０、一つの積載本体３０、一つの装飾品覆蓋部２１及び一つのフレグランス部品覆蓋部２２である。
底ケース１０に一つの開口を具有し、該開口内に一つの装飾品収納部１１及び一つのフレグランス部品収納部１２を設ける。フレグランス部品覆蓋部２２は分解できる方法でフレグランス収納部１２の上に覆蓋して結合し、且つ一つのフレグランス部品収納スペースを形成し、少なくとも一つのフレグランス部品５０を収納するために用いる。フレグランス部品覆蓋部２２に少なくとも一つの穴２４を具有し、フレグランス部品５０の香りを放つために用いる。
積載本体３０は装飾品収納部１１の中に設置し、一つの装飾品６１を積載するために用いる。装飾品覆蓋部２１は分解できる方法で積載本体３０の上に覆蓋して結合し、装飾品覆蓋部２１は一つの展示開口２３を具有し、装飾品６１を見せるために用いる。
【００２１】
一つの実施例において、装飾品６１は一枚の写真或いは絵とすることができる。
装飾品覆蓋部２１は一つの透明部品７０を含むことができ、装飾品覆蓋部２１の展示開口２３の上を覆蓋する。一つの実施例において、透明部品７０は装飾品覆蓋部２１の展示開口２３を密閉することができ、装飾品６１が物理性或いは化学性の汚染から守ることができる。
透明部品７０は一つのガラスプレート、一つのアクリルプレート或いはその他の透明材料で作られるプレートとすることができる。
【００２２】
図３、図４Ａ及び図４Ｂに示すのは本発明のフレグランス装置の別の実施例である。前記フレグランス装置に含まれるのは一つの底ケース１０、一つの積載本体３０、一つの装飾品覆蓋部２１及び一つのフレグランス部品覆蓋部２２である。
底ケース１０に一つの開口を具有し、該開口内に一つの装飾品収納部１１及び一つのフレグランス部品収納部１２を設ける。フレグランス部品覆蓋部２２は分解できる方法でフレグランス収納部１２の上に覆蓋して結合し、且つ一つのフレグランス部品収納スペースを形成し、少なくとも一つのフレグランス部品５０を収納するために用いる。
フレグランス部品覆蓋部２２に少なくとも一つの穴２４を具有し、フレグランス部品５０の香りを放つために用いる。積載本体３０は装飾品収納部１１の中に設置し、積載本体３０は一つの定位部３１を具有し、一つの装飾品６２を定位するために用いる。
装飾品覆蓋部２１は分解できる方法で積載本体３０の上に覆蓋して結合し、装飾品覆蓋部２１は一つの展示開口２３を具有し、装飾品６１を見せるために用いる。
【００２３】
一つの実施例において、装飾品６２は一つの立体物品とすることができる。一つの実施例において、装飾品６２は更に一つの結合部品を含み、積載本体３０の定位部３１に定位して結合するために用いる。一つの実施例において、積載本体３０の定位部３１は一つの定位穴とすることができ、定位する際に、装飾品６２の結合部品は該定位穴に掛合して定位することができる。
【００２４】
一つの実施例において、フレグランス装置の底ケース１０に一つの掛穴１３を設けて吊るして使用する際に用いる。一つの実施例において、該フレグランス装置は更に一つのサポート部品４０を含み、該一端を底ケース１０と結合することで、該フレグランス装置を支えるために用いる。
一つの実施例において、サポート部品４０は一端を底ケース１０と接続結合し、該サポート部品４０の別端を介して、底ケース１０に相対して移動することで、開く或いは閉じることができる。図５Ａ及び図５Ｂに示すように、サポート部品の一端は底ケース１０に相対して開く際に、前記フレグランス装置を支えることができる。
【００２５】
一つの実施例において、装飾品を直接底ケースの装飾品収納部の中に入れることができる。底ケースは更に一つの定位部を含み、一つの装飾品を定位するために用いる。前記実施例において、前記装飾品覆蓋部及びフレグランス部品覆蓋部はセパレートした部品である。
一つの実施例において、前記装飾品覆蓋部及びフレグランス部品覆蓋部はまた、一体成型して一つの前蓋で構成することができる。
【００２６】
本発明の実施例において、前記底ケースと前蓋は何度も分解及び結合することができる。一つの実施例において、前記底ケースに複数個の底ケース結合部を設けることができる。前記前蓋は複数個の互いに対応する前蓋結合部を設けることができ、前記底ケース結合部と結合するために用いる。
本発明の実施例において、前記積載本体と装飾品覆蓋部は何度も分解及び結合することができる。一つの実施例において、前記積載本体は複数個の積載結合部を設けることができ、前記装飾品覆蓋部は複数個の互いに対応する装飾品覆蓋部の結合部を設けることができ、前記積載本体結合部と結合するために用いる。
【００２７】
本発明の実施例において、前記フレグランス部品は常温の下では発揮性を具有し、該フレグランス部品の香りを放つ。一つの実施例において、前記フレグランス部品は一つの固体フレグランスシート、一つの香り袋或いはハーブなど、自ら香りを放つ部品とする。
【００２８】
上記により、本発明は下記のメリットを具有する。
１、本発明にて提供する一種のフレグランス装置は香り及び装飾の機能を結合し、香りを拡散すると同時に、一つの装飾品とすることができ、美観及び実用性を兼ね備える。
２、本発明にて提供する一種のフレグランス装置の部品は何度も分解及び結合することができるため、ユーザーは任意にフレグランス部品と装飾品を変えることができ、繰り返し使用できる装置であり、エコ及び使用時の柔軟性を兼ね備える。
３、本発明にて提供する一種のフレグランス装置は、フレグランス機能を提供する部分と装飾部分は互いに隔てていることで、装飾品はフレグランス部品の発揮性物質によって汚染されにくい。
４、本発明にて提供する一種のフレグランス装置は吊るす、或いは平らな台に置くのを選択することができ、設置方法に柔軟性がある。
【００２９】
上記をまとめると、本発明は香りを提供すると同時に、一つの装飾品とすることができ、美観、実用、エコ及び使用上、設置する際の柔軟性を持つ。
【００３０】
上記の説明と図式は本発明の実施例のみを説明するものである。本技術に熟知する者が、本発明の範囲内にて行う変更や調整を行っても、本発明の重要な意義は失われず、本発明の範囲に含まれる。
【符号の説明】
【００３１】
１０  底ケース
１１  装飾品収納部
１２  フレグランス部品覆蓋部
１３  掛穴
２１  装飾品覆蓋部
２２  フレグランス部品覆蓋部
２３  展示開口
２４  穴
３０  積載本体
４０  サポート部品
５０  フレグランス部品
６１  装飾品
６２  装飾品
７０  透明部品
【図１】
2018023705.tif 000003
【図２Ａ】
2018023705.tif 000004
【図２Ｂ】
2018023705.tif 000005
【図３】
2018023705.tif 000006
【図４Ａ】
2018023705.tif 000007
【図４Ｂ】
2018023705.tif 000008
【図５Ａ】
2018023705.tif 000009
【図５Ｂ】
2018023705.tif 000010